【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
予め設定されたむら補正値を用いて、記録ヘッドに具備される複数の記録素子の記録特性に起因する濃度むらを補正するむら補正処理が施された画像データに基づいて、濃度むら測定用テスト画像を形成する濃度むら測定用テスト画像形成工程と、
前記記録ヘッドを用いた画像形成後の処理の前に、前記濃度むら測定用テスト画像における記録素子ごと濃度設定値ごとの濃度測定値である変換前濃度測定値を取得する濃度測定値取得工程と、
予め導出された、濃度設定値ごとの前記処理の前後における濃度測定値の変換関係を表し、濃度設定値として前記設定されたむら補正値が適用される濃度測定値変換値を用いて、前記取得された変換前濃度測定値を前記処理後の濃度測定値に相当する変換後濃度測定値に変換する濃度測定値変換工程と、
前記変換後濃度測定値を用いて新たなむら補正値を導出するむら補正値導出工程と、
を含む画像処理方法。
【請求項２】
予め設定されたむら補正値を用いてむら補正処理が施された画像データに基づき、前記記録ヘッドを用いて濃度測定用テスト画像を形成する濃度測定用テスト画像形成工程と、
前記形成された濃度測定用テスト画像の前記処理の前に、前記濃度測定用テスト画像における濃度設定値ごとの前記処理の前の濃度測定値を取得する処理前濃度測定値取得工程と、
前記形成された濃度測定用テスト画像に前記処理を施す処理工程と、
前記処理工程の後に、前記濃度測定用テスト画像における濃度設定値ごとの前記処理の後の濃度測定値を取得する処理後濃度測定値取得工程と、
前記処理前濃度測定値及び前記処理後濃度測定値に基づいて、前記設定されたむら補正値を濃度設定値として、濃度設定値ごとの前記濃度測定値変換値を導出する濃度測定値変換値導出工程と、
を含む請求項１に記載の画像処理方法。
【請求項３】
前記濃度測定値変換値導出工程は、濃度設定値ごとに、次式
（処理の後の濃度測定値）／（処理の前の濃度測定値）…（１）
を用いた演算によって、濃度測定値変換値を導出する請求項２に記載の画像処理方法。
【請求項４】
前記濃度測定値変換工程は、前記濃度むら測定用画像を形成した際のむら補正値の値を濃度設定値に適用して前記（１）式を用いて導出された値を読み出し、前記読み出された濃度測定値変換値を前記変換前濃度測定値に乗じて、前記むら補正値を濃度設定値とする前記変換前濃度測定値を前記変換後濃度測定値に変換する請求項３に記載の画像処理方法。
【請求項５】
前記処理前濃度測定値取得工程は、記録素子の配列方向における複数の濃度測定値の平均値を処理前濃度測定値とし、
前記処理後濃度測定値取得工程は、記録素子の配列方向における複数の濃度測定値の平均値を処理後濃度測定値とする請求項２から４のいずれか１項に記載の画像処理方法。
【請求項６】
前記形成された濃度測定用テスト画像の前記処理の前に、撮像素子を用いて前記濃度測定用テスト画像を読み取る処理前読取工程を含み、
前記処理前濃度測定値取得工程は、前記処理前読取工程の読取結果から、前記濃度測定用テスト画像における濃度設定値ごとの前記処理の前の濃度測定値を取得する請求項２から５のいずれか１項に記載の画像処理方法。
【請求項７】
前記処理工程の後に、前記撮像素子を用いて前記濃度測定用テスト画像を読み取る処理
後読取工程を含み、
前記処理後濃度測定値取得工程は、前記処理後読取工程の読取結果から、前記濃度測定用テスト画像における濃度設定値ごとの前記処理の後の濃度測定値を取得する請求項６に記載の画像処理方法。
【請求項８】
前記記録ヘッドを用いた画像形成後の処理の前に、前記形成された濃度むら測定用テスト画像を、撮像素子を用いて読み取る読取工程を含み、
前記濃度測定値取得工程は、前記読取工程の読取結果から、前記濃度むら測定用テスト画像における記録素子ごと濃度設定値ごとの濃度測定値である変換前濃度測定値を取得する請求項１から７のいずれか１項に記載の画像処理方法。
【請求項９】
前記画像形成後の処理は、乾燥処理及び定着処理の少なくともいずれか一方を含む請求項１から８のいずれか１項に記載の画像処理方法。
【請求項１０】
予め設定されたむら補正値を用いて、記録ヘッドに具備される複数の記録素子の記録特性に起因する濃度むらを補正するむら補正処理が施された画像データに基づいて形成された濃度むら測定用テスト画像における、記録素子ごと濃度設定値ごとの濃度測定値である変換前濃度測定値を取得する濃度測定値取得部と、
予め導出され、濃度設定値ごとの前記処理の前後における濃度測定値の変換関係を表し、濃度設定値として前記設定されたむら補正値が適用される濃度測定値変換値を用いて、前記取得された変換前濃度測定値を前記処理後の濃度測定値に相当する変換後濃度測定値に変換する濃度測定値変換部と、
前記変換後濃度測定値を用いて新たなむら補正値を導出するむら補正値導出部と、
を備えた画像処理装置。
【請求項１１】
前記濃度測定値変換値を導出する濃度測定値変換値導出部を備え、
前記濃度測定値取得部は、予め設定されたむら補正値を用いてむら補正処理が施された画像データに基づいて前記記録ヘッドを用いて形成された濃度測定用テスト画像における前記処理の前の濃度設定値ごとの処理前濃度測定値、前記濃度測定用テスト画像の前記処理の後の濃度設定値ごとの処理後濃度測定値を取得し、
濃度測定値変換値導出部は、前記処理の前の濃度測定値及び前記処理の後の濃度測定値に基づいて、前記設定されたむら補正値を濃度設定値として、濃度設定値ごとの前記濃度測定値変換値を導出する請求項１０に記載の画像処理装置。
【請求項１２】
コンピュータに、
予め設定されたむら補正値を用いて、記録ヘッドに具備される複数の記録素子の記録特性に起因する濃度むらを補正するむら補正処理が施された画像データに基づいて、濃度むら測定用テスト画像を形成する濃度むら測定用テスト画像形成工程と、
前記記録ヘッドを用いた画像形成後の処理の前に、前記形成された濃度むら測定用テスト画像における記録素子ごと濃度設定値ごとの濃度測定値である変換前濃度測定値を取得する濃度測定値取得工程と、
予め導出された、濃度設定値ごとの前記処理の前後における濃度測定値の変換関係を表し、濃度設定値として前記設定されたむら補正値が適用される濃度測定値変換値を用いて、前記取得された変換前濃度測定値を前記処理後の濃度測定値に相当する変換後濃度測定値に変換する濃度測定値変換工程と、
前記変換後濃度測定値を用いて新たなむら補正値を導出するむら補正値導出工程と、
を実行させる画像処理プログラム。
【請求項１３】
複数の記録素子が具備される記録ヘッドと、
入力画像データに対して、前記記録ヘッドに具備される複数の記録素子の記録特性に起
因する濃度むらを予め設定されたむら補正値を用いてむら補正処理を施すむら補正処理部を具備する画像処理部と、
記録媒体と前記記録ヘッドとを相対的に搬送させる相対搬送部と、
前記記録ヘッドを基準とする前記記録媒体の相対移動方向における前記記録ヘッドの下流側に設けられ、前記記録ヘッドを用いて形成された画像の濃度測定値を取得する濃度測定値取得部と、
前記記録ヘッドを基準とする前記記録媒体の相対移動方向における前記濃度測定値取得部の下流側に設けられ、前記記録ヘッドを用いて形成された画像に処理を施す処理部と、
濃度設定値ごとの前記処理部による処理の前後における濃度測定値の変換関係を表し、濃度設定値として前記設定されたむら補正値が適用される濃度測定値変換値を用いて、前記取得された変換前濃度測定値を前記処理の後の濃度測定値に相当する変換後濃度測定値に変換する濃度測定値変換部と、
前記変換後濃度測定値を用いて新たなむら補正値を導出するむら補正値導出部と、
を備え、
前記濃度測定値取得部は、前記処理部による処理の前に、前記画像処理部において、予め設定されたむら補正値を用いたむら補正処理が施された画像データに基づいて生成された濃度むら測定用テスト画像における記録素子ごと濃度設定値ごとの濃度測定値である変換前濃度測定値を取得し、
前記むら補正値導出部によって新たなむら補正値が導出されると、前記新たなむら補正値を用いて画像データに対してむら補正処理を施し、
前記記録ヘッドは、前記新たなむら補正値を用いてむら補正処理が施された画像データに基づいて所望の画像を形成する画像形成装置。
【手続補正２】
【補正対象書類名】明細書
【補正対象項目名】００８７
【補正方法】変更
【補正の内容】
【００８７】
すなわち、濃度設定値ごとに、倍率＝（乾燥定着後の濃度測定値）／（乾燥定着前の濃度測定値）が算出され、濃度設定値（濃度測定用テスト画像を生成する際に適用されたむら補正値）をパラメータとする関数（一次関数）として、又は濃度設定値をインデックスとするテーブル（一次元テーブル）として、濃度測定値変換値３４０は図４の濃度測定値記憶部１２４へ記憶される。なお、濃度設定値ごとの濃度測定値変換値は、ノズルごとの二次元テーブル形式とすることも可能である。
【手続補正３】
【補正対象書類名】明細書
【補正対象項目名】０１６１
【補正方法】変更
【補正の内容】
【０１６１】
（第４態様）：第３態様に記載の画像処理方法において、濃度測定値変換工程は、濃度むら測定用画像を形成した際のむら補正値の値を濃度設定値に適用して（１）式を用いて導出された値を読み出し、読み出された濃度測定値変換値を変換前濃度測定値に乗じて、むら補正値を濃度設定値とする変換前濃度測定値を変換後濃度測定値に変換する。
【手続補正４】
【補正対象書類名】図面
【補正対象項目名】図１
【補正方法】変更
【補正の内容】
【図１】
2014231155.tif 000001